(57)【要約】【課題】基礎の上面中央位置からずれた位置に柱を立設させる場合であっても、基礎や構造体の安定性を保つことのできる柱の立設構造を提供する。【解決手段】基礎２に対して柱５を立設するための柱５の立設構造において、基礎２の重心上、或いは、中心軸上に設けられた平板状のベースプレート３と、このベースプレート３上に水平方向に設けられた水平梁４と、この水平梁４の上面に起立するように立設された柱５とを設ける。そして、このベースプレート３を基礎２にアンカーボルト３ａで固定し、この固定されたベースプレート３に水平梁４を溶接して取り付けるようにする。【選択図】図１
0003114344.tif 000002
【実用新案登録請求の範囲】
【請求項１】
基礎に対して柱を立設するための柱の立設構造において、
基礎の上面中央部分に設けられた平板状のベースプレートと、このベースプレート上に水平方向に設けられた水平梁と、この水平梁の上面に起立するように設けられた柱とを具備してなることを特徴とする柱の立設構造。
【請求項２】
基礎に対して柱を立設するための柱の立設構造において、
基礎の上面中央部分に設けられた金属平板状のベースプレートと、このベースプレートを基礎に固定するための固定部材と、このベースプレートの固定部材を避ける位置に水平方向に設けられた水平梁と、この水平梁の上面に起立するように設けられた柱とを具備してなることを特徴とする柱の立設構造。
【請求項３】
基礎に対して柱を立設するための柱の立設構造において、
基礎の上面中央部分に設けられた金属平板状のベースプレートと、このベースプレートを基礎に固定するためのアンカー部材と、このベースプレートのアンカー部材を避ける位置に溶接された水平方向の水平梁と、この水平梁の上面に起立するように設けられた柱とを具備してなることを特徴とする柱の立設構造。
【請求項４】
前記柱は、基礎の上面中央部分からずれた位置に取り付けられるものである請求項１から３いずれか１項に記載の柱の立設構造。
【請求項５】
前記水平梁が、離間して設けられた基礎上に設けられるものである請求項１から４いずれか１項に記載の柱の立設構造。
【考案の詳細な説明】
【技術分野】
【０００１】
本考案は、柱の立設構造に関するものであり、より詳しくは、コンクリートなどによって形成された基礎に鉄骨の柱を取り付けるための構造に関するものである。
【背景技術】
【０００２】
従来の柱の立設構造を図５に示す。図５において２は基礎であり、５は柱である。一般に、基礎に柱を取り付ける場合、あらかじめ、必要に応じて工事箇所となる地盤をコンクリートなどで補強しておき、その補強された地盤上に鉄筋コンクリート製の基礎を設けていく。そして、このコンクリート製の基礎の上面に柱を立設し、その周囲をアンカーボルトなどで固定した後、柱の間に梁などを架け渡して建物の構造体を構築していく。
【特許文献１】特開２００４−３１６１７５
【考案の開示】
【考案が解決しようとする課題】
【０００３】
ところで、一般に基礎の上に柱を立設する場合、従来では、基礎の上面中央部分に柱を立設することが多い。すなわち、柱の立設位置が、基礎の上面中央位置からずれてしまうと、柱から加わる荷重によって基礎に偏芯荷重が生じ、基礎が不安定なものになってしまう。また、コンクリート製の基礎の端部に大きな荷重が加わると、コンクリートにクラックなどを生じてしまう可能性があり、その上部に設けられた構造体が不安定なものになってしまうおそれがある。このため、従来では、なるべく基礎の上面中央部分に柱を立設させるようにしていた。
【０００４】
しかしながら、現実的には、狭小地による制約や障害物の存在によって、どうしても基礎の上面中央位置に柱を立設させることができない場合があり、このような場合に柱を立設すると、基礎や構造体が不安定なものになってしまうという問題を有していた。
【０００５】
そこで、本考案は、上記課題に着目してなされたもので、基礎の上面中央位置からずれた位置に柱を立設させる場合であっても、基礎や構造体の安定性を保つことのできる柱の立設構造を提供することを目的とするものである。
【課題を解決するための手段】
【０００６】
すなわち、本考案は上記課題を解決するために、基礎に対して柱を立設するための柱の立設構造において、基礎の上面中央部分に設けられた平板状のベースプレートと、このベースプレート上に水平方向に設けられた水平梁と、この水平梁の上面に起立するように立設された柱とを具備するようにしたものである。
【０００７】
このような構造を用いれば、基礎の上面中央部分からずれた位置に柱を立設させても、水平梁を介して基礎の上面中央部分のベースプレートに荷重を伝達させることで、常に基礎の中心部分に荷重を作用させることができるようになる。これにより、基礎に偏心荷重を生じさせることがなくなり、基礎や構造体を安定させることができるようになる。
【０００８】
また、好ましくは、このベースプレートを基礎に対して固定部材で固定し、この固定されたベースプレートに水平梁を取り付けるようにする。
【０００９】
このようにベースプレートを固定すれば、ベースプレートが基礎の上面中央部分からずれることがないため、常に柱の荷重を基礎の中央部分に作用させることができるようになる。
【００１０】
更に、この水平梁をベースプレートに溶接して固定するようにする。
【００１１】
このようにすれば、水平梁が間接的にベースプレートを介して基礎に固定されるため、水平梁がずれることがなくなり、安定して柱を立設させることができるようになる。
【００１２】
加えて、このような水平梁を、離間して設けられた基礎上に跨って設けるようにする。
【００１３】
このようにすれば、柱の立設位置に基礎が存在しない場合であっても、その水平梁上に柱を立設することができ、しかも、その柱の荷重を離間して設けられた基礎の重心軸上に作用させることができるようになる。
【考案の効果】
【００１４】
本考案によれば、基礎に対して柱を立設するための柱の立設構造において、基礎の上面中央部分に設けられた平板状のベースプレートと、このベースプレート上に水平方向に設けられた水平梁と、この水平梁の上面に立設するように取り付けられた柱とを具備するようにしたので、基礎の上面中央部分からずれた位置に柱を立設しても、水平梁を介して基礎の上面中央部分のベースプレートに荷重を伝達させることで、常に基礎の中心部分に荷重を作用させることができるようになる。これにより、障害物の存在によって中心位置から柱がずれた場合であっても、基礎に偏心荷重を生じさせることがなくなり、基礎や構造体を安定させることができるようになる。
【考案を実施するための最良の形態】
【００１５】
以下、本考案の一実施の形態について図面を参照して説明する。図１は、本実施の形態における柱５の立設構造１を示す図であり、離間した位置に存在する基礎２に跨って水平梁４を架け渡し、その水平梁４の上部に柱５を立設させた状態図を示したものである。また、図２は、図１におけるＡ−Ａ断面図を示したものであり、図３は、図１におけるＢ−Ｂ断面図を示したものである。
【００１６】
図１において、２は地盤上に設けられる基礎である。この基礎２は、鉄筋コンクリートなどによって形成されるもので、柱５の立設位置に形成される。この基礎２を設ける場合は、建物などの構造体の地盤沈下を防止する必要があることから、まず、必要に応じて地盤を補強し、その補強された地盤上の柱５の立設位置に設けられる。この地盤の補強法としては、（ａ）表層地盤改良工法や、（ｂ）柱５状改良工法（ソイルコラム工法）、（ｃ）小口径鋼管杭工法などがある。そして、このような補強法によって地盤を補強した後、設計領域内の地面を掘削し、その掘削された領域に鉄筋を組み込んでコンクリートを流し込む。このとき、基礎２は、当て板などによって壁面を構成し、その壁面間にコンクリートを流し込むことによって起立部分を形成する。そして、この基礎２全体を地中内に埋設する。
【００１７】
３は、この基礎２の上面２ａに固定されるベースプレートである。このベースプレート３は、厚み２ｃｍ〜３ｃｍ、縦横の寸法については後述する水平梁４の幅寸法よりも大きめの４０ｃｍ程度の金属製プレートによって構成される。そして、このように構成されたベースプレート３は、基礎２の上面２ａにアンカーボルト３ａによってその中心位置がほぼ基礎２の重心上、或いは、基礎２が縦長に設けられている場合は、その短手方向の中心軸上に固定される。このアンカーボルト３ａは、水平梁４の取り付け時に邪魔にならないように、正方形状のベースプレート３の適所に取り付けられ、そして、その間に水平梁４を取り付けるようにしている。このようにすれば、地震などによって水平梁４が左右方向にずれた場合であっても、アンカーボルト３ａの突出した頭部によってそのずれを規制することができる。
【００１８】
４は、水平梁であり、ベースプレート３の中心点上を通るように設けられる。この水平梁４は、断面Ｈ形状をなすＨ鋼によって構成されるもので、その一方の側面をベースプレート３側（下側面４ｂとする）に、また他方の側面を上方に位置させる（上側面４ａとする）。そして、ベースプレート３側の下側面４ｂの端部を溶接などによってベースプレート３に固定し、ベースプレート３との相対位置がずれないようにしている。この水平梁４をベースプレート３に取り付ける場合は、まず、離間して設けられた基礎２の上面２ａにベースプレート３を固定し、そのベースプレート３間に跨って取り付けられる。なお、この水平梁４は、長手方向の寸法が大きすぎると柱５からの大きな荷重によって大きな撓みを生じてしまう可能性があるため、例えば、１００ｃｍ〜１２０ｃｍ程度の長さにしておくことが好ましい。但し、この長さについては、Ｈ鋼の剛性に依存するものであるため、剛性が高い場合は、さらに長くすることもできる。４０は、この水平梁４の柱取付部分に取り付けられる補強プレートであり、柱５からの荷重に対してＨ鋼を変形させないようにするものである。
【００１９】
５は、柱であり、水平梁４の上面部分に立設される。この柱５もＨ鋼などによって構成されるもので、その下端部分を直接アーク溶接などよって取り付けられる。また、この柱５は、溶接部分の補強が必要であれば、他の補強金具などを用いて水平梁４に固定される。一般的に、この柱５の取り付け位置については、基礎２の重心上、或いは、基礎２が縦長に設けられている場合は幅方向における中心軸上に設置するのが好ましいが、狭小地による制約や障害物の存在などによってその中心位置からずれた位置に取り付けなければならない場合もある。このような場合は、水平梁４の上側面４ａに沿った適所に取り付けられる。なお、柱５の取り付け位置がベースプレート３から３０ｃｍ〜４０ｃｍ程度離れてしまった場合、水平梁４に撓みを生じてしまう可能性があるが、この水平梁４の反対側にも柱５が立設されており、しかも、ベースプレート３によって水平梁４が基礎２に固定されているため、その撓みを数ｍｍ程度に抑えることができる。
【００２０】
そして、このように基礎２に取り付けられた水平梁４や柱５の下端部分は、掘削された土砂によって埋め戻され、その水平梁４を地中梁として機能させる。
【００２１】
このように構成された柱５の立設構造の作用について説明すると、柱５から下向きに大きな荷重が作用した場合、ベースプレート３の中心部分を支点として水平梁４にモーメントが作用する。しかしながら、この水平梁４の他端側についても同様に柱５を立設させているため、水平梁４は回転することなくベースプレート３に荷重を伝達させることができる。このとき、柱５からの荷重によって水平梁４に撓みを生じさせてしまうが、水平梁４がベースプレート３に溶接されており、しかも、そのベースプレート３もアンカーボルト３ａで基礎２に固定されているため、その支点を固定端とみなすことができる。これにより、その固定端から荷重作用点までの短い距離によって撓み量を小さくすることができる。
【００２２】
上述のように、本実施の形態によれば、基礎２に対して柱５を立設するための柱５の立設構造において、基礎２の重心上、或いは、中心軸上に設けられた平板状のベースプレート３と、このベースプレート３上に水平方向に設けられた水平梁４と、この水平梁４の上面に起立するように立設された柱５とを設けるようにしたので、基礎２の中央部分からずれた位置に柱５を立設させたとしても、水平梁４を介してベースプレート３に荷重を伝達させることで、常に基礎２の中央部分に荷重を作用させることができるようになる。これにより、基礎２の上面２ａ中心部分からずれた位置に柱５を取り付けたとしても、基礎２に偏心荷重を生じさせることがなくなり、基礎２や構造体を安定させることができるようになる。
【００２３】
また、このベースプレート３を基礎２にアンカーボルト３ａで固定し、この固定されたベースプレート３に水平梁４を取り付けるようにしたので、ベースプレート３が基礎２の上面２ａ中央部分からずれることがなくなり、常に柱５の荷重を基礎２の中央部分に作用させることができるようになる。
【００２４】
更には、この水平梁４をベースプレート３に溶接して固定するようにしたので、水平梁４を間接的にベースプレート３を介して基礎２に固定することができ、水平梁４の位置ずれを防止して柱５を安定して立設させることができるようになる。
【００２５】
加えて、このような水平梁を、離間して設けられた基礎上に跨って設けるようにしたので、柱の立設位置の真下に基礎が存在しない場合であっても、水平に架け渡された水平梁上に柱を立設することができる。しかも、その際、柱の荷重を基礎の重心軸上に作用させることができるようになる。
【００２６】
なお、本考案は上記実施の形態に限定されることなく、種々の態様で実施することができる。
【００２７】
例えば、上記実施の形態では、水平梁４としてＨ鋼を用いるようにしているが、断面Ｈ形をなす鋼材に限らず、他の断面形状を有する鋼材を用いるようにしてもよい。また、この水平梁４は鋼材に限らず、剛性を高めるべく、鋼材にコンクリートを充填させたものであってもよい。
【００２８】
また、上記実施の形態では、ベースプレート３として水平梁４よりも大きめの金属製プレートを用いているが、このような大きさ、形状に限定されることなく、種々のタイプのベースプレート３を用いるようにしてもよい。
【００２９】
更に、上記実施の形態では、水平梁４を地中に埋設させて地中梁として使用しているが、これに限らず、地上に設けられる梁として使用することも当然可能である。
【図面の簡単な説明】
【００３０】
【図１】本発明の一実施の形態を示す柱の立設構造を示す図
【図２】図１におけるＡ−Ａ断面図
【図３】図１におけるＢ−Ｂ断面図
【図４】同形態における荷重の作用を説明する図
【図５】従来における柱と基礎の荷重作用状態を示す図
【符号の説明】
【００３１】
２・・・基礎
２ａ・・・基礎の上面
３・・・ベースプレート
３ａ・・・アンカーボルト
４・・・水平梁
４ａ・・・上側面
４ｂ・・・下側面
５・・・柱
４０・・・補強プレート
【図１】
0003114344.tif 000003
【図２】
0003114344.tif 000004
【図３】
0003114344.tif 000005
【図４】
0003114344.tif 000006
【図５】
0003114344.tif 000007